(57)【要約】【課題】マークアップ言語により構造化されたデータを適切に処理する技術を提供する。【解決手段】文書処理装置１００において、取得部７０は、マークアップ言語により記述されたデータを取得する。地図コンポーネント７２などの処理系は、特定のデータを入力して処理する。連携制御コンポーネント７１は、取得部７０が取得したデータの中から、処理系に入力するデータを抽出する。表示制御コンポーネント７７は、連携制御コンポーネント７１により決定された入力データを処理した処理系が出力する画面を表示する。【選択図】図１１
2008097215.tif 000002
【特許請求の範囲】
【請求項１】
マークアップ言語により記述されたデータを取得する取得部と、
特定のデータを入力して処理する処理系と、
前記取得部が取得したデータの中から、前記処理系に入力するデータを抽出する連携制御部と、
前記連携制御部により決定された入力データを処理した処理系が出力する画面を表示する表示制御部と、
を備えることを特徴とするデータ処理装置。
【請求項２】
複数の前記処理系が起動されるとき、前記連携制御部は、前記取得部が取得したデータ及び先に起動されている前記処理系が出力したデータの中から、後で起動された処理系に入力するデータを抽出することを特徴とする請求項１に記載のデータ処理装置。
【請求項３】
複数の前記処理系が起動されるとき、前記連携制御部は、複数の前記処理系がデータを処理する順序を変更可能とすることを特徴とする請求項１又は２に記載のデータ処理装置。
【請求項４】
複数の前記処理系が起動されるとき、前記表示制御部は、複数の前記処理系が出力する画面を重畳させて表示することを特徴とする請求項１から３のいずれかに記載のデータ処理装置。
【請求項５】
複数の前記処理系が起動されるとき、前記表示制御部は、複数の前記処理系が出力する画面を表示する順序を変更可能とすることを特徴とする請求項４に記載のデータ処理装置。
【請求項６】
前記連携制御部は、前記データの要素名、属性名、名前空間、及びデータ型のうち少なくとも１つに基づいて、前記処理系に入力するデータを抽出することを特徴とする請求項１から５のいずれかに記載のデータ処理装置。
【請求項７】
前記連携制御部は、前記処理系に入力するデータの候補をユーザに提示し、ユーザから前記処理系に入力するデータの選択を受け付けることにより、前記処理系に入力するデータを決定することを特徴とする請求項１から６のいずれかに記載のデータ処理装置。
【請求項８】
前記連携制御部は、前記データに基づいて起動する処理系を決定することを特徴とする請求項１から７のいずれかに記載のデータ処理装置。
【発明の詳細な説明】
【技術分野】
【０００１】
本発明は、文書処理技術に関し、特に、マークアップ言語により記述されたデータを処理するデータ処理装置に関する。
【背景技術】
【０００２】
ＸＭＬは、ネットワークなどを介して他者とデータを共有するのに適した形式として注目されており、ＸＭＬ文書を作成、表示、編集するためのアプリケーションが開発されている（たとえば、特許文献１参照）。ＸＭＬ文書は、文書型定義などにより定義されたボキャブラリ（タグセット）に基づいて作成されている。
【特許文献１】特開２００１−２９０８０４号公報
【発明の開示】
【発明が解決しようとする課題】
【０００３】
現在広く用いられているリレーショナルデータベースでは、一度作成されたデータ構造を運用中に変更することが一般的に困難である。しかし、ＸＭＬは、スキーマを必須としておらず、整形式（well-formed）の形態が認容されるため、ＸＭＬデータベースの拡張性は非常に高い。そのため、データベースの仕様が完全には決まっていない状態で開発を進めたり、途中でデータ構造が変化することを前提としたシステムを比較的容易に構築したりすることができる。
【０００４】
しかしながら、ＸＭＬでは、任意にボキャブラリを作成することが許されており、理論上、無限に多くのボキャブラリが存在しうる。これらのボキャブラリの全てに対応して専用の表示・編集環境を提供するのは現実的ではない。従来、専用の編集環境が用意されていないボキャブラリにより記述された文書を編集する場合、テキストデータにより構成された文書のソースを直接テキストエディタなどで編集していた。
【０００５】
本発明はこうした状況に鑑みてなされたものであり、その目的は、マークアップ言語により構造化されたデータを適切に処理する技術を提供することにある。
【課題を解決するための手段】
【０００６】
本発明のある態様は、データ処理装置に関する。このデータ処理装置は、マークアップ言語により記述されたデータを取得する取得部と、特定のデータを入力して処理する処理系と、前記取得部が取得したデータの中から、前記処理系に入力するデータを抽出する連携制御部と、前記連携制御部により決定された入力データを処理した処理系が出力する画面を表示する表示制御部と、を備えることを特徴とする。
【０００７】
複数の前記処理系が起動されるとき、前記連携制御部は、前記取得部が取得したデータ及び先に起動されている前記処理系が出力したデータの中から、後で起動された処理系に入力するデータを抽出してもよい。
【０００８】
複数の前記処理系が起動されるとき、前記連携制御部は、複数の前記処理系がデータを処理する順序を変更可能としてもよい。複数の前記処理系が起動されるとき、前記表示制御部は、複数の前記処理系が出力する画面を重畳させて表示してもよい。複数の前記処理系が起動されるとき、前記表示制御部は、複数の前記処理系が出力する画面を表示する順序を変更可能としてもよい。
【０００９】
前記連携制御部は、前記データの要素名、属性名、名前空間、及びデータ型のうち少なくとも１つに基づいて、前記処理系に入力するデータを抽出してもよい。前記連携制御部は、前記処理系に入力するデータの候補をユーザに提示し、ユーザから前記処理系に入力するデータの選択を受け付けることにより、前記処理系に入力するデータを決定してもよい。
【００１０】
前記連携制御部は、前記データに基づいて起動する処理系を決定してもよい。
【００１１】
なお、以上の構成要素の任意の組合せ、本発明の表現を方法、装置、システムなどの間で変換したものもまた、本発明の態様として有効である。
【発明の効果】
【００１２】
本発明によれば、マークアップ言語により構造化されたデータを適切に処理する技術を提供することができる。
【発明を実施するための最良の形態】
【００１３】
（前提技術）
図１は、前提技術に係る文書処理装置２０の構成を示す。文書処理装置２０は、文書内のデータが階層構造を有する複数の構成要素に分類された構造化文書を処理するが、本前提技術では構造化文書の一例としてＸＭＬ文書を処理する例について説明する。文書処理装置２０は、主制御ユニット２２、編集ユニット２４、ＤＯＭユニット３０、ＣＳＳユニット４０、ＨＴＭＬユニット５０、ＳＶＧユニット６０、及び変換部の一例であるＶＣユニット８０を備える。これらの構成は、ハードウエアコンポーネントでいえば、任意のコンピュータのＣＰＵ、メモリ、メモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００１４】
主制御ユニット２２は、プラグインのロードや、コマンド実行のフレームワークを提供する。編集ユニット２４は、ＸＭＬ文書を編集するためのフレームワークを提供する。文書処理装置２０における文書の表示及び編集機能は、プラグインにより実現されており、文書の種別に応じて必要なプラグインが主制御ユニット２２又は編集ユニット２４によりロードされる。主制御ユニット２２又は編集ユニット２４は、処理対象となるＸＭＬ文書の名前空間を参照して、ＸＭＬ文書がいずれのボキャブラリにより記述されているかを判別し、そのボキャブラリに対応した表示又は編集用のプラグインをロードして表示や編集を実行させる。例えば、文書処理装置２０には、ＨＴＭＬ文書の表示及び編集を行うＨＴＭＬユニット５０、ＳＶＧ文書の表示及び編集を行うＳＶＧユニット６０など、ボキャブラリ（タグセット）ごとに表示系及び編集系がプラグインとして実装されており、ＨＴＭＬ文書を編集するときはＨＴＭＬユニット５０が、ＳＶＧ文書を編集するときはＳＶＧユニット６０が、それぞれロードされる。後述するように、ＨＴＭＬとＳＶＧの双方の構成要素を含む複合文書が処理対象となっている場合は、ＨＴＭＬユニット５０とＳＶＧユニット６０の双方がロードされる。
【００１５】
このような構成によれば、ユーザは、必要な機能のみを選択してインストールし、後から適宜機能を追加又は削除することができるので、プログラムを格納するハードディスクなどの記録媒体の記憶領域を有効に活用することができ、また、プログラム実行時にも、メモリの浪費を防ぐことができる。また、機能拡張性に優れており、開発主体としても、プラグインの形で新たなボキャブラリに対応することが可能なので開発が容易となり、ユーザとしても、プラグインの追加により容易かつ低コストにて機能を追加することができる。
【００１６】
編集ユニット２４は、ユーザインターフェースを介してユーザから編集指示のイベントを受け付け、そのイベントを適切なプラグインなどに通知するともに、イベントの再実行（リドゥ）又は実行の取消（アンドゥ）などの処理を制御する。
【００１７】
ＤＯＭユニット３０は、ＤＯＭ提供部３２、ＤＯＭ生成部３４、及び出力部３６を含み、ＸＭＬ文書をデータとして扱うときのアクセス方法を提供するために定められた文書オブジェクトモデル（Document Object Model：ＤＯＭ）に準拠した機能を実現する。ＤＯＭ提供部３２は、編集ユニット２４に定義されているインタフェースを満たすＤＯＭの実装である。ＤＯＭ生成部３４は、ＸＭＬ文書からＤＯＭツリーを生成する。後述するように、処理対象となるＸＭＬ文書が、ＶＣユニット８０により他のボキャブラリにマッピングされる場合は、マッピング元のＸＭＬ文書に対応するソースツリーと、マッピング先のＸＭＬ文書に対応するデスティネーションツリーが生成される。出力部３６は、例えば編集終了時に、ＤＯＭツリーをＸＭＬ文書として出力する。
【００１８】
ＣＳＳユニット４０は、ＣＳＳ解析部４２、ＣＳＳ提供部４４、及びレンダリング部４６を含み、ＣＳＳに準拠した表示機能を提供する。ＣＳＳ解析部４２は、ＣＳＳの構文を解析するパーサの機能を有する。ＣＳＳ提供部４４は、ＣＳＳオブジェクトの実装であり、ＤＯＭツリーに対してＣＳＳのカスケード処理を行う。レンダリング部４６は、ＣＳＳのレンダリングエンジンであり、ＣＳＳを用いてレイアウトされるＨＴＭＬなどのボキャブラリで記述された文書の表示に用いられる。
【００１９】
ＨＴＭＬユニット５０は、ＨＴＭＬにより記述された文書を表示又は編集する。ＳＶＧユニット６０は、ＳＶＧにより記述された文書を表示又は編集する。これらの表示／編集系は、プラグインの形で実現されており、それぞれ、文書を表示する表示部（Canvas）５６、６６、編集指示を含むイベントを送受信する制御部（Editlet）５２、６２、編集コマンドを受けてＤＯＭに対して編集を行う編集部（Zone）５４、６４を備える。制御部５２又は６２が外部からＤＯＭツリーの編集コマンドを受け付けると、編集部５４又は６４がＤＯＭツリーを変更し、表示部５６又は６６が表示を更新する。これらは、ＭＶＣ（Model-View-Controller）と呼ばれるフレームワークに類似する構成をとっており、概ね、表示部５６及び６６が「View」に、制御部５２及び６２が「Controller」に、編集部５４及び６４とＤＯＭの実体が「Model」に、それぞれ対応する。本前提技術の文書処理装置２０では、ＸＭＬ文書をツリー表示形式で編集するだけでなく、それぞれのボキャブラリに応じた編集を可能とする。例えば、ＨＴＭＬユニット５０は、ＨＴＭＬ文書をワードプロセッサに類似した方式で編集するためのユーザインターフェースを提供し、ＳＶＧユニット６０は、ＳＶＧ文書を画像描画ツールに類似した方式で編集するためのユーザインターフェースを提供する。
【００２０】
ＶＣユニット８０は、マッピング部８２、定義ファイル取得部８４、及び定義ファイル生成部８６を含み、あるボキャブラリにより記述された文書を、他のボキャブラリにマッピングすることにより、マッピング先のボキャブラリに対応した表示編集用プラグインで文書を表示又は編集するためのフレームワークを提供する。本前提技術では、この機能を、ボキャブラリコネクション（Vocabulary Connection：ＶＣ）と呼ぶ。定義ファイル取得部８４は、マッピングの定義を記述したスクリプトファイルを取得する。この定義ファイルは、ノードごとに、ノード間の対応（コネクション）を記述する。このとき、各ノードの要素値や属性値の編集の可否を指定してもよい。また、ノードの要素値や属性値を用いた演算式を記述してもよい。これらの機能については、後で詳述する。マッピング部８２は、定義ファイル取得部８４が取得したスクリプトファイルを参照して、ＤＯＭ生成部３４にデスティネーションツリーを生成させ、ソースツリーとデスティネーションツリーの対応関係を管理する。定義ファイル生成部８６は、ユーザが定義ファイルを生成するためのグラフィカルユーザインターフェースを提供する。
【００２１】
ＶＣユニット８０は、ソースツリーとデスティネーションツリーの間のコネクションを監視し、表示を担当するプラグインにより提供されるユーザインタフェースを介してユーザから編集指示を受け付けると、まずソースツリーの該当するノードを変更する。ＤＯＭユニット３０が、ソースツリーが変更された旨のミューテーションイベントを発行すると、ＶＣユニット８０は、そのミューテーションイベントを受けて、ソースツリーの変更にデスティネーションツリーを同期させるべく、変更されたノードに対応するデスティネーションツリーのノードを変更する。デスティネーションツリーを表示／編集するプラグイン、例えばＨＴＭＬユニット５０は、デスティネーションツリーが変更された旨のミューテーションイベントを受けて、変更されたデスティネーションツリーを参照して表示を更新する。このような構成により、少数のユーザにより利用されるローカルなボキャブラリにより記述された文書であっても、他のメジャーなボキャブラリに変換することで、文書を表示することができるとともに、編集環境が提供される。
【００２２】
文書処理装置２０により文書を表示又は編集する動作について説明する。文書処理装置２０が処理対象となる文書を読み込むと、ＤＯＭ生成部３４が、そのＸＭＬ文書からＤＯＭツリーを生成する。また、主制御ユニット２２又は編集ユニット２４は、名前空間を参照して文書を記述しているボキャブラリを判別する。そのボキャブラリに対応したプラグインが文書処理装置２０にインストールされている場合は、そのプラグインをロードして、文書を表示／編集させる。プラグインがインストールされていない場合は、マッピングの定義ファイルが存在するか否かを確認する。定義ファイルが存在する場合、定義ファイル取得部８４が定義ファイルを取得し、その定義に従って、デスティネーションツリーが生成され、マッピング先のボキャブラリに対応するプラグインにより文書が表示／編集される。複数のボキャブラリを含む複合文書である場合は、後述するように、それぞれのボキャブラリに対応したプラグインにより、文書の該当箇所がそれぞれ表示／編集される。定義ファイルが存在しない場合は、文書のソース又はツリー構造を表示し、その表示画面において編集が行われる。
【００２３】
図２は、処理対象となるＸＭＬ文書の例を示す。このＸＭＬ文書は、生徒の成績データを管理するために用いられる。ＸＭＬ文書のトップノードである構成要素「成績」は、配下に、生徒ごとに設けられた構成要素「生徒」を複数有する。構成要素「生徒」は、属性値「名前」と、子要素「国語」、「数学」、「理科」、「社会」を有する。属性値「名前」は、生徒の名前を格納する。構成要素「国語」、「数学」、「理科」、「社会」は、それぞれ、国語、数学、理科、社会の成績を格納する。例えば、名前が「Ａ」である生徒の国語の成績は「９０」、数学の成績は「５０」、理科の成績は「７５」、社会の成績は「６０」である。以下、この文書で使用されているボキャブラリ（タグセット）を、「成績管理ボキャブラリ」と呼ぶ。
【００２４】
本前提技術の文書処理装置２０は、成績管理ボキャブラリの表示／編集に対応したプラグインを有しないので、この文書をソース表示、ツリー表示以外の方法で表示するためには、前述したＶＣ機能が用いられる。すなわち、成績管理ボキャブラリを、プラグインが用意された別のボキャブラリ、例えば、ＨＴＭＬやＳＶＧなどにマッピングするための定義ファイルを用意する必要がある。ユーザ自身が定義ファイルを作成するためのユーザインターフェースについては後述することにして、ここでは、既に定義ファイルが用意されているとして説明を進める。
【００２５】
図３は、図２に示したＸＭＬ文書をＨＴＭＬで記述された表にマッピングする例を示す。図３の例では、成績管理ボキャブラリの「生徒」ノードを、ＨＴＭＬにおける表（「TABLE」ノード）の行（「TR」ノード）に対応づけ、各行の第１列には属性値「名前」を、第２列には「国語」ノードの要素値を、第３列には「数学」ノードの要素値を、第４列には「理科」ノードの要素値を、第５列には「社会」ノードの要素値を、それぞれ対応付ける。これにより、図２に示したＸＭＬ文書を、ＨＴＭＬの表形式で表示することができる。また、これらの属性値及び要素値は、編集可能であることが指定されており、ユーザがＨＴＭＬによる表示画面上で、ＨＴＭＬユニット５０の編集機能により、これらの値を編集することができる。第６列には、国語、数学、理科、社会の成績の加重平均を算出する演算式が指定されており、生徒の成績の平均点が表示される。このように、定義ファイルに演算式を指定可能とすることにより、より柔軟な表示が可能となり、編集時のユーザの利便性を向上させることができる。なお、第６列は、編集不可であることが指定されており、平均点のみを個別に編集することができないようにしている。このように、マッピング定義において、編集の可否を指定可能とすることにより、ユーザの誤操作を防ぐことができる。
【００２６】
図４（ａ）及び図４（ｂ）は、図２に示したＸＭＬ文書を図３に示した表にマッピングするための定義ファイルの例を示す。この定義ファイルは、定義ファイル用に定義されたスクリプト言語により記述される。定義ファイルには、コマンドの定義と、表示のテンプレートが記述されている。図４（ａ）（ｂ）の例では、コマンドとして、「生徒の追加」と「生徒の削除」が定義されており、それぞれ、ソースツリーにノード「生徒」を挿入する操作と、ソースツリーからノード「生徒」を削除する操作が対応付けられている。また、テンプレートとして、表の第１行に「名前」、「国語」などの見出しが表示され、第２行以降に、ノード「生徒」の内容が表示されることが記述されている。ノード「生徒」の内容を表示するテンプレート中、「text-of」と記述された項は「編集可能」であることを意味し、「value-of」と記述された項は「編集不可能」であることを意味する。また、ノード「生徒」の内容を表示する行のうち、第６列には、「(src:国語 + src:数学 + src:理科 + src:社会) div 4」という計算式が記述されており、生徒の成績の平均が表示されることを意味する。
【００２７】
図５は、図２に示した成績管理ボキャブラリで記述されたＸＭＬ文書を、図３に示した対応によりＨＴＭＬにマッピングして表示した画面の例を示す。表９０の各行には、左から、各生徒の名前、国語の成績、数学の成績、理科の成績、社会の成績、及び平均点が表示されている。ユーザは、この画面上で、ＸＭＬ文書を編集することができる。たとえば、第２行第３列の値を「７０」に変更すると、このノードに対応するソースツリーの要素値、すなわち、生徒「Ｂ」の数学の成績が「７０」に変更される。このとき、ＶＣユニット８０は、デスティネーションツリーをソースツリーに追従させるべく、デスティネーションツリーの該当箇所を変更し、ＨＴＭＬユニット５０が、変更されたデスティネーションツリーに基づいて表示を更新する。したがって、画面上の表においても、生徒「Ｂ」の数学の成績が「７０」に変更され、更に、平均点が「５５」に変更される。
【００２８】
図５に示した画面には、図４（ａ）（ｂ）に示した定義ファイルに定義されたように、「生徒の追加」及び「生徒の削除」のコマンドがメニューに表示される。ユーザがこれらのコマンドを選択すると、ソースツリーにおいて、ノード「生徒」が追加又は削除される。このように、本前提技術の文書処理装置２０では、階層構造の末端の構成要素の要素値を編集するのみではなく、階層構造を編集することも可能である。このようなツリー構造の編集機能は、コマンドの形でユーザに提供されてもよい。また、例えば、表の行を追加又は削除するコマンドが、ノード「生徒」を追加又は削除する操作に対応づけられてもよい。また、他のボキャブラリを埋め込むコマンドがユーザに提供されてもよい。この表を入力用テンプレートとして、穴埋め形式で新たな生徒の成績データを追加することもできる。以上のように、ＶＣ機能により、ＨＴＭＬユニット５０の表示／編集機能を利用しつつ、成績管理ボキャブラリで記述された文書を編集することが可能となる。
【００２９】
図６は、ユーザが定義ファイルを生成するために、定義ファイル生成部８６がユーザに提示するグラフィカルユーザインタフェースの例を示す。画面左側の領域９１には、マッピング元のＸＭＬ文書がツリー表示されている。画面右側の領域９２には、マッピング先のＸＭＬ文書の画面レイアウトが示されている。この画面レイアウトは、ＨＴＭＬユニット５０により編集可能となっており、ユーザは、画面右側の領域９２において、文書を表示するための画面レイアウトを作成する。そして、例えば、マウスなどのポインティングデバイスにより、画面左側の領域９１に表示されたマッピング元のＸＭＬ文書のノードを、画面右側の領域９２に表示されたＨＴＭＬによる画面レイアウト中へドラッグ＆ドロップ操作を行うことにより、マッピング元のノードと、マッピング先のノードとのコネクションが指定される。例えば、要素「生徒」の子要素である「数学」を、ＨＴＭＬ画面の表９０の第１行第３列にドロップすると、「数学」ノードと、３列目の「ＴＤ」ノードの間にコネクションが張られる。各ノードには、編集の可否が指定できるようになっている。また、表示画面中には、演算式を埋め込むこともできる。画面の編集が終わると、定義ファイル生成部８６は、画面レイアウトとノード間のコネクションを記述した定義ファイルを生成する。
【００３０】
ＸＨＴＭＬ、ＭａｔｈＭＬ、ＳＶＧなどの主要なボキャブラリに対応したビューワやエディタは既に開発されているが、図２に示した文書のようなオリジナルなボキャブラリで記述された文書に対応したビューワやエディタを開発するのは現実的でない。しかし、上記のように、他のボキャブラリにマッピングするための定義ファイルを作成すれば、ビューワやエディタを開発しなくても、ＶＣ機能を利用して、オリジナルなボキャブラリで記述された文書を表示・編集することができる。
【００３１】
図７は、定義ファイル生成部８６により生成された画面レイアウトの他の例を示す。図７の例では、成績管理ボキャブラリで記述されたＸＭＬ文書を表示するための画面に、表９０と、円グラフ９３が作成されている。この円グラフ９３は、ＳＶＧにより記述される。後述するように、本前提技術の文書処理装置２０は、一つのＸＭＬ文書内に複数のボキャブラリを含む複合文書を処理することができるので、この例のように、ＨＴＭＬで記述された表９０と、ＳＶＧで記述された円グラフ９３とを、一つの画面上に表示することができる。
【００３２】
図８は、文書処理装置２０によるＸＭＬ文書の編集画面の一例を示す。図８の例では、一つの画面が複数に分割されており、それぞれの領域において、処理対象となるＸＭＬ文書を異なる複数の表示形式により表示している。領域９４には、文書のソースが表示されており、領域９５には、文書のツリー構造が表示されており、領域９６には、図５に示したＨＴＭＬにより記述された表が表示されている。これらのいずれの画面上においても、文書の編集が可能であり、いずれかの画面上でユーザが編集を行うと、ソースツリーが変更され、それぞれの画面の表示を担当するプラグインが、ソースツリーの変更を反映すべく画面を更新する。具体的には、ソースツリーの変更を通知するミューテーションイベントのリスナーとして、それぞれの編集画面の表示を担当するプラグインの表示部を登録しておき、いずれかのプラグイン又はＶＣユニット８０によりソースツリーが変更されたときに、編集画面を表示中の全ての表示部が、発行されたミューテーションイベントを受け取って画面を更新する。このとき、プラグインがＶＣ機能により表示を行っている場合は、ＶＣユニット８０がソースツリーの変更に追従してデスティネーションツリーを変更した後、変更されたデスティネーションツリーを参照してプラグインの表示部が画面を更新する。
【００３３】
例えば、ソース表示及びツリー表示を、専用のプラグインにより実現している場合は、ソース表示用プラグインとツリー表示用プラグインは、デスティネーションツリーを用いず、直接ソースツリーを参照して表示を行う。この場合、いずれかの画面において編集が行われると、ソース表示用プラグインとツリー表示用プラグインは、変更されたソースツリーを参照して画面を更新し、領域９６の画面を担当しているＨＴＭＬユニット５０は、ソースツリーの変更に追従して変更されたデスティネーションツリーを参照して画面を更新する。
【００３４】
ソース表示及びツリー表示は、ＶＣ機能を利用して実現することもできる。すなわち、ソース、ツリー構造をＨＴＭＬによりレイアウトし、そのＨＴＭＬにＸＭＬ文書をマッピングして、ＨＴＭＬユニット５０により表示してもよい。この場合、ソース形式、ツリー形式、表形式の３つのデスティネーションツリーが生成されることになる。いずれかの画面において編集が行われると、ＶＣユニット８０は、ソースツリーを変更した後、ソース形式、ツリー形式、表形式の３つのデスティネーションツリーをそれぞれ変更し、ＨＴＭＬユニット５０は、それらのデスティネーションツリーを参照して、３つの画面を更新する。
【００３５】
このように、一つの画面上に複数の表示形式で文書を表示することにより、ユーザの利便性を向上させることができる。例えば、ユーザは、ソース表示又はツリー表示により文書の階層構造を把握しつつ、表９０などを用いて視覚的に分かりやすい形式で文書を表示し、編集することができる。上記の例では、一つの画面を分割して複数の表示形式による画面を同時に表示したが、一つの画面に一つの表示形式による画面を表示し、表示形式をユーザの指示により切り替え可能としてもよい。この場合、主制御ユニット２２が、ユーザから表示形式の切り替え要求を受け付け、各プラグインに指示して表示を切り替える。
【００３６】
図９は、文書処理装置２０により編集されるＸＭＬ文書の他の例を示す。図９に示したＸＭＬ文書では、ＳＶＧ文書の「foreignObject」タグの中にＸＨＴＭＬ文書が埋め込まれており、さらに、ＸＨＴＭＬ文書の中にＭａｔｈＭＬで記述された数式が入っている。このような場合、編集ユニット２４が、名前空間を参照して、適切な表示系に描画作業を振り分ける。図９の例では、編集ユニット２４は、まず、ＳＶＧユニット６０に四角形を描画させ、つづいて、ＨＴＭＬユニット５０にＸＨＴＭＬ文書を描画させる。さらに、図示しないＭａｔｈＭＬユニットに、数式を描画させる。こうして、複数のボキャブラリを包含する複合文書が適切に表示される。表示結果を図１０に示す。
【００３７】
文書編集中、カーソル（キャリッジ）の位置に応じて、表示されるメニューを切り替えてもよい。すなわち、カーソルが、ＳＶＧ文書が表示された領域内に存在するときは、ＳＶＧユニット６０が提供するメニュー、又はＳＶＧ文書をマッピングするための定義ファイルに定義されたコマンドを表示し、カーソルが、ＸＨＴＭＬ文書が表示された領域内に存在するときは、ＨＴＭＬユニット５０が提供するメニュー、又はＸＨＴＭＬ文書をマッピングするための定義ファイルに定義されたコマンドを表示する。これにより、編集位置に応じて適切なユーザインターフェースを提供することができる。
【００３８】
複合文書において、あるボキャブラリに対応する適切なプラグイン又はマッピング定義ファイルがなかった場合は、そのボキャブラリにより記述された部分は、ソース表示又はツリー表示されてもよい。従来、ある文書に他の文書を埋め込んだ複合文書を開くとき、埋め込まれた文書を表示するアプリケーションがインストールされていないと、その内容を表示することができなかったが、本前提技術では、表示用のアプリケーションが存在しなくても、テキストデータにより構成されたＸＭＬ文書をソース表示又はツリー表示することにより内容を把握することができる。これは、テキストベースであるＸＭＬなどの文書ならではの特徴といえる。
【００３９】
データがテキストベースで記述されることの他の利点として、例えば、複合文書中の、あるボキャブラリにより記述される部分において、同一文書内の他のボキャブラリで記述された部分のデータを参照してもよい。また、文書内で検索を実行する時に、ＳＶＧなどの図に埋め込まれた文字列も検索対象とすることができる。
【００４０】
あるボキャブラリにより記述された文書内に、他のボキャブラリのタグを用いてもよい。このＸＭＬ文書は、妥当（valid）ではないが、整形式（well-formed）であれば、有効なＸＭＬ文書として処理可能である。この場合、挿入された他のボキャブラリのタグは、定義ファイルによりマッピングされてもよい。例えば、ＸＨＴＭＬ文書中に、「重要」、「最重要」などのタグを使用し、これらのタグで囲まれた部分を強調表示してもよいし、重要度の順にソートして表示してもよい。
【００４１】
図１０に示した編集画面において、ユーザにより文書が編集されると、編集された部分を担当するプラグイン又はＶＣユニット８０がソースツリーを変更する。ソースツリーには、ノードごとにミューテーションイベントのリスナーを登録できるようになっており、通常は、各ノードが属するボキャブラリに対応したプラグインの表示部又はＶＣユニット８０がリスナーとして登録される。ＤＯＭ提供部３２は、ソースツリーが変更されると、変更されたノードから上位の階層へたどって、登録されたリスナーがあれば、そのリスナーへミューテーションイベントを発行する。例えば、図９に示した文書において、＜ｈｔｍｌ＞ノードの下位のノードが変更された場合、＜ｈｔｍｌ＞ノードにリスナーとして登録されたＨＴＭＬユニット５０にミューテーションイベントが通知されるとともに、その上位の＜ｓｖｇ＞ノードにリスナーとして登録されたＳＶＧユニット６０にもミューテーションイベントが通知される。このとき、ＨＴＭＬユニット５０は、変更されたソースツリーを参照して表示を更新する。ＳＶＧユニット６０は、自身のボキャブラリに属するノードが変更されていないので、ミューテーションイベントを無視してもよい。
【００４２】
編集の内容によっては、ＨＴＭＬユニット５０による表示の更新に伴って、全体のレイアウトが変わる可能性がある。この場合は、画面のレイアウトを管理する構成、例えば最上位のノードの表示を担当するプラグインにより、プラグインごとの表示領域のレイアウトが更新される。例えば、ＨＴＭＬユニット５０による表示領域が以前より大きくなった場合、ＨＴＭＬユニット５０は、まず自身の担当する部分を描画して、表示領域の大きさを決定する。そして、画面のレイアウトを管理する構成に、変更後の表示領域の大きさを通知し、レイアウトの更新を依頼する。画面のレイアウトを管理する構成は、通知を受けて、プラグインごとの表示領域を再レイアウトする。こうして、編集された部分の表示が適切に更新されるとともに、画面全体のレイアウトが更新される。
【００４３】
（実施の形態）
実施の形態では、複数の文書を処理する際に、文書間で、又は文書を処理する処理系の間で、データを連携させる技術を提案する。
【００４４】
図１１は、本実施の形態に係る文書処理装置の構成を示す。本実施の形態の文書処理装置１００は、図１に示した前提技術の文書処理装置２０の構成に加えて、取得部７０、連携制御コンポーネント７１、地図コンポーネント７２、ポイントコンポーネント７３、カラーコンポーネント７４、経路コンポーネント７５、プログレスバーコンポーネント７６、及び表示制御コンポーネント７７を備える。地図コンポーネント７２、ポイントコンポーネント７３、カラーコンポーネント７４、経路コンポーネント７５、プログレスバーコンポーネント７６は、文書に記述されたデータを処理して様々な機能を提供する処理系である。以下、これらを総称するときは、単に「処理系」という。
【００４５】
連携制御コンポーネント７１は、処理系の間の連携や、処理対象となっている文書に含まれるデータの間の連携を制御する。それぞれの処理系は、所定の入力データを処理してビューを生成する機能を有している。連携制御コンポーネント７１は、取得部７０が取得したデータや、文書処理装置１００において既に処理対象となっている別の文書に記述されたデータや、文書処理装置１００において既に起動されている別の処理系が出力するデータの中から、処理系に入力するデータを抽出する。各処理系は、入力データの仕様や条件を定義しておき、連携制御コンポーネント７１に通知する。連携制御コンポーネント７１は、処理系が起動されたときに、その処理系の入力データとして利用可能なデータの候補を抽出する。連携制御コンポーネント７１は、データの要素名、属性名、名前空間、及びデータ型のうち少なくとも１つに基づいて、処理系に入力するデータを抽出してもよい。抽出された候補の中から、いずれのデータを入力データとするかは、連携制御コンポーネント７１が決定してもよいし、起動された処理系が決定してもよいし、ユーザに問い合わせて選択させてもよい。起動された処理系は、入力データに対して１回だけ適用されてもよいし、複数回ループして適用されてもよい。表示制御コンポーネント７７は、入力データを処理した処理系が出力する画面を表示する。
【００４６】
例えば、地図コンポーネント７２は、地名を示すデータと、地形を示すデータを入力して、地図を描画する機能を有している。連携制御コンポーネント７１は、これらのデータを記述するためのボキャブラリで記述された文書が取得されたときや、地図コンポーネント７２の適用をユーザから要求されたときに、地図コンポーネント７２を起動し、文書処理装置１００が利用可能なデータの中から、地名を示すデータと、地形を示すデータとして入力可能なデータを抽出し、地図コンポーネント７２に入力する。これにより、地図コンポーネント７２が地図を描画することができる。
【００４７】
また、カラーコンポーネント７４は、色を決定するための条件を示すデータと、決定された色で描画する図形を示すデータを入力して、条件に応じた色で図形を描画する機能を有している。例えば、ある土地の地名を示すデータと、地形を示すデータと、人口を示すデータとが別の文書に記述されている場合であっても、連携制御コンポーネント７１が、人口を示すデータと、人口に応じて色を決定するための条件を示すデータと、地形を示すデータとを抽出してカラーコンポーネント７４に入力すると、カラーコンポーネント７４は、土地ごとに、人口に応じて決定された色で地図を着色することができる。
【００４８】
プログレスバーコンポーネント７６は、起動されている処理系に時系列的なデータが入力されているとき、時間軸に沿って入力データを切り替える機能を有している。プログレスバーコンポーネント７６が、入力データを過去又は未来へ切り替える指示を発すると、時系列的なデータを入力している処理系は、入力データを指示されたように変更して、再度処理を実行して表示を更新する。
【００４９】
処理系は、入力データを処理した結果や、処理対象となる文書に記述されたデータなどを、他の処理系が入力データとして利用できるように出力する機能を有していてもよい。この場合、各処理系は、出力データの仕様や条件を定義しておき、連携制御コンポーネント７１に通知しておく。処理系は、自身の処理が終了したときに、出力データをＤＯＭとして生成しておいてもよいし、連携制御コンポーネント７１から出力を要求されたときに出力データを生成してもよい。出力データは、実体データとして後続の処理系に与えられてもよいし、出力データへのポインタのみが与えられてもよい。後者の場合、同一のＤＯＭを複数の処理系が参照してもよく、各処理系は、前提技術で説明したＶＣ機能と同様に、参照元のＤＯＭのデータを自身の入力データにマッピングして処理してもよい。各処理系が、生成したビューを介してデータの編集を受け付ける場合、前提技術で説明したように、参照元のＤＯＭを変更するよう参照元のＤＯＭを管理する処理系に編集イベントを通知し、ＤＯＭが変更されたことを示すミューテーションイベントを受けて、参照元のＤＯＭの変更を自身が管理するＤＯＭへ反映させ、ビューを更新してもよい。
【００５０】
処理系は、本実施の形態で説明するデータ連携機能のために専用に開発されたものであってもよいし、前提技術で説明した各タグセットを処理するための処理系であってもよい。後者の場合、処理系が、他の文書のデータ又は他の処理系が出力するデータを入力データとして受付可能とするために、処理系のインタフェースを拡張してもよい。または、連携制御コンポーネントが、前提技術で説明したＶＣ技術と同様に、他の文書のデータ又は他の処理系が出力するデータを、処理系が処理可能なタグセットにマッピングして処理系へ供給してもよい。
【００５１】
処理対象となる文書が開かれていない状態では、連携制御コンポーネント７１は、無地のデータシートを表示する。ユーザが、このデータシートに文書をドロップするなどして、処理対象となる文書を開くと、連携制御コンポーネント７１の管理のもとで、文書を処理する処理系が起動される。
【００５２】
連携制御コンポーネント７１は、データシート上で開かれた文書や、データシート上で起動された処理系に対して、レイヤを割り当てて管理する。連携制御コンポーネント７１は、データシート上で文書が開かれると、その文書に対して新たにレイヤを生成し、レイヤ間でのデータの授受を管理する。表示制御コンポーネント７７は、複数の処理系が起動されて複数のレイヤが生成されたとき、それらの処理系が出力する各レイヤの画面を重畳させて表示してもよい。各レイヤには、表示／非表示を切り替えるためのチェックボックスを設けてもよい。この場合、表示制御コンポーネント７７は、非表示とされたレイヤの表示を担当する処理系が生成したビューを非表示とする。レイヤには、データシート上で開かれた順にタブが設けられ、タブにより処理対象となるアクティブなレイヤを切換可能としてもよい。また、タブのドラッグ＆ドロップによりレイヤの順番を入替可能としてもよい。このとき、表示制御コンポーネント７７は、画面を表示する順序を入れ替えてもよく、連携制御コンポーネント７１は、データを処理する順序やデータの結合順序を入れ替えてもよい。データの結合順序と画面の表示順序は別に管理されてもよい。
【００５３】
１つのレイヤに複数の文書又は処理系が割り当てられてもよい。例えば、複数の文書に記述されたデータをグループ化して１つのレイヤに割り当ててもよい。また、複数の処理系をグループ化して１つのレイヤに割り当て、文書に記述されたデータを複数の処理系により処理させてもよい。複数の処理系をグループ化して割り当てたレイヤを保存して汎用的に利用したり、そのように保存された複数のレイヤを更に組み合わせて利用したりしてもよい。
【００５４】
データ連携のプラットフォームとなるデータシートは、連携制御コンポーネント７１が処理対象とするボキャブラリ（以下、このボキャブラリの名前空間接頭辞を「cascadexmlObject」とする）で記述される。このデータシートを示すソース文書には、処理対象としてデータシート上で開かれた文書のパスと名称を格納する要素と、各レイヤに対応する文書の識別子を格納する要素が記述される。したがって、データシート上で組み合わされた複数の文書や複数の処理系は、ソース文書に記録されるので、このソース文書を開くと、データが連携されたデータシートが復元される。
【００５５】
データシート上で開かれた文書に記述されたデータは、ソース文書に追加されてもよいし、各文書のＤＯＭとして別に管理されてもよい。前者の場合は、ソース文書のデータ量が大きくなるが、データシートを開くときに必要なデータが全てソース文書に含まれるので、データの受け渡しの際などに便利である。
【００５６】
連携制御コンポーネント７１は、複数の文書を取得し、それらの文書に記述されたデータの間で連携可能な組合せを抽出し、ユーザに提示してもよい。ユーザが、複数の文書に記述された様々なデータを分析するとき、データ間の相関関係や因果関係などを視覚的に分かりやすく提示することが可能な支援技術が求められるが、予め定義されたデータ間の相関関係を視覚化しても、その枠から脱却することはできず、新たな発見は望めない。しかし、参照すべき文書の数やデータの数が多くなると、データの組合せは指数関数的に増大し、もはや人間が全ての組合せについて分析することは不可能である。そこで、連携制御コンポーネント７１は、与えられた文書に記述されたデータを様々に連携させ、相関の高い組合せや、因果関係がありそうな組合せを抽出して提示する。このとき、連携制御コンポーネント７１は、要素名や属性名の類似度、階層構造の類似度、データ型の類似度などを参照して、データの組合せに対して重み付けを行ってもよい。
【００５７】
連携制御コンポーネント７１は、文書処理装置１００にインストールされていて利用可能な処理系の入力データとして、与えられた文書に含まれる複数のデータを様々な組合せで入力させ、処理系により生成される表示画面をユーザに提示してもよい。連携制御コンポーネント７１は、データに基づいて起動する処理系を決定してもよい。処理系が複数ある場合には、処理系も様々に組み合わせてもよい。また、１つの処理系を複数回適用させてもよい。複数のデータと処理系を様々に組合せながら順次処理を進めていくことで、事象のシミュレータとして機能させることもできる。また、後からデータや処理系を差し替えてもよい。このように、データや処理系を様々に連携させることにより、ユーザの意思決定を支援することができる。
【００５８】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００５９】
実施の形態では、ＸＭＬ文書を処理する例について説明したが、本実施の形態の文書処理装置１００は、他のマークアップ言語、例えば、ＳＧＭＬ、ＨＴＭＬなどで記述された文書も同様に処理可能である。
【図面の簡単な説明】
【００６０】
【図１】前提技術に係る文書処理装置の構成を示す図である。
【図２】文書処理装置により編集されるＸＭＬ文書の例を示す図である。
【図３】図２に示したＸＭＬ文書をＨＴＭＬで記述された表にマッピングする例を示す図である。
【図４（ａ）】図２に示したＸＭＬ文書を図３に示した表にマッピングするための定義ファイルの例を示す図である。
【図４（ｂ）】図２に示したＸＭＬ文書を図３に示した表にマッピングするための定義ファイルの例を示す図である。
【図５】図２に示したＸＭＬ文書を、図３に示した対応によりＨＴＭＬにマッピングして表示した画面の例を示す図である。
【図６】ユーザが定義ファイルを生成するために、定義ファイル生成部がユーザに提示するグラフィカルユーザインターフェースの例を示す図である。
【図７】定義ファイル生成部により生成された画面レイアウトの他の例を示す図である。
【図８】文書処理装置によるＸＭＬ文書の編集画面の一例を示す図である。
【図９】文書処理装置により編集されるＸＭＬ文書の他の例を示す図である。
【図１０】図９に示した文書を表示した画面の例を示す図である。
【図１１】実施の形態に係る文書処理装置の構成を示す図である。
【符号の説明】
【００６１】
２０  文書処理装置、２２  主制御ユニット、２４  編集ユニット、３０  ＤＯＭユニット、３２  ＤＯＭ提供部、３４  ＤＯＭ生成部、３６  出力部、４０  ＣＳＳユニット、４２  ＣＳＳ解析部、４４  ＣＳＳ提供部、４６  レンダリング部、５０  ＨＴＭＬユニット、５２，６２  制御部、５４，６４  編集部、５６，６６  表示部、６０  ＳＶＧユニット、７０  取得部、７１  連携制御コンポーネント、７２  地図コンポーネント、７３  ポイントコンポーネント、７４  カラーコンポーネント、７５  経路コンポーネント、７６  プログレスバーコンポーネント、７７  表示制御コンポーネント、８０  ＶＣユニット、８２  マッピング部、８４  定義ファイル取得部、８６  定義ファイル生成部、１００  文書処理装置。
【図１】
2008097215.tif 000003
【図２】
2008097215.tif 000004
【図３】
2008097215.tif 000005
【図４（ａ）】
2008097215.tif 000006
【図４（ｂ）】
2008097215.tif 000007
【図５】
2008097215.tif 000008
【図６】
2008097215.tif 000009
【図７】
2008097215.tif 000010
【図８】
2008097215.tif 000011
【図９】
2008097215.tif 000012
【図１０】
2008097215.tif 000013
【図１１】
2008097215.tif 000014